(57)【要約】      （修正有）【課題】認証処理におけるセキュリティレベルが向上した生体認証装置を提供する。【解決手段】登録生体情報３２と、生体情報区分コード３１と、見本生体情報３３とを記憶する記憶部１３と、認証形式生体情報５１と複数の見本生体情報３３とを比較してそれぞれ類似度を算出し、類似度に基づいて、生体情報区分コード３１を生成する生体情報区分コード生成部１５と、類似度に基づいて、認証形式生体情報５１が見本生体情報３３に類似する順に、各見本生体情報３３の生体情報区分コード３１に優先順位を付し、予め設定された閾値に基づいて、優先順位が下位の生体情報区分コード３１のグループに属する登録生体情報３２を認証対象としないように、認証優先情報を生成する認証優先情報生成部１６と、認証処理部１７と、を備える。【選択図】図２
2012238256.tif 000002
【特許請求の範囲】
【請求項１】
生体情報を入力する生体情報入力部と、
入力された前記生体情報を、認証のための情報である認証形式生体情報に変換する生体情報変換部と、
予め登録された前記生体情報の認証のための情報である登録生体情報と、前記登録生体情報が属するグループを識別するための情報である生体情報区分コードと、前記グループを代表する前記生体情報の見本である見本生体情報とを記憶する記憶部と、
前記認証形式生体情報と複数の前記見本生体情報とを比較してそれぞれ類似度を算出し、前記類似度に基づいて、前記認証形式生体情報が最も類似する前記見本生体情報の前記生体情報区分コードを生成する生体情報区分コード生成部と、
前記類似度に基づいて、前記認証形式生体情報が前記見本生体情報に類似する順に、各見本生体情報の前記生体情報区分コードに優先順位を付し、予め設定された閾値に基づいて、前記優先順位が下位の前記生体情報区分コードのグループに属する前記登録生体情報を認証対象としないように、認証優先情報を生成する認証優先情報生成部と、
前記認証優先情報の前記優先順位の順に、前記認証形式生体情報と、前記生体情報区分コードのグループに属する前記登録生体情報とを照合して認証処理を行う認証処理部と、
を備えることを特徴とする生体認証装置。
【請求項２】
前記認証処理部は、前記認証優先情報において認証対象であるとされる前記生体情報区分コードのグループに属する前記登録生体情報について、認証処理を行ってもなお認証が成功しない場合には、ユーザに対して再度、前記生体情報を入力するように促すこと
を特徴とする請求項１に記載の生体認証装置。
【請求項３】
予め登録された生体情報の認証のための情報である登録生体情報と、前記登録生体情報が属するグループを識別するための情報である生体情報区分コードと、前記グループを代表する前記生体情報の見本である見本生体情報とを記憶する記憶部を備える生体認証装置における生体認証方法であって、
前記生体認証装置の生体情報入力部が、前記生体情報を入力する生体情報入力ステップと、
前記生体認証装置の生体情報変換部が、入力された前記生体情報を、認証のための情報である認証形式生体情報に変換する生体情報変換ステップと、
前記生体認証装置の生体情報区分コード生成部が、前記認証形式生体情報と複数の前記見本生体情報とを比較してそれぞれ類似度を算出し、前記類似度に基づいて、前記認証形式生体情報が最も類似する前記見本生体情報の前記生体情報区分コードを生成する生体情報区分コード生成ステップと、
前記生体認証装置の認証優先情報生成部が、前記類似度に基づいて、前記認証形式生体情報が前記見本生体情報に類似する順に、各見本生体情報の前記生体情報区分コードに優先順位を付し、予め設定された閾値に基づいて、前記優先順位が下位の前記生体情報区分コードのグループに属する前記登録生体情報を認証対象としないように、認証優先情報を生成する認証優先情報生成ステップと、
前記生体認証装置の認証処理部が、前記認証優先情報の前記優先順位の順に、前記認証形式生体情報と、前記生体情報区分コードのグループに属する前記登録生体情報とを照合して認証処理を行う認証処理ステップと、
を備えることを特徴とする生体認証方法。
【請求項４】
請求項３に記載の生体認証方法をコンピュータに実行させるための生体認証プログラム。
【発明の詳細な説明】
【技術分野】
【０００１】
本発明は、本人認証を目的とする生体認証装置などの技術に関する。
【背景技術】
【０００２】
情報セキュリティにおけるシステム保護方法として、ユーザによるパスワード入力によって個人認証を行う「パスワード認証」や、鍵・ＩＤカードなどによる「物理認証」などがある。
しかし、パスワード認証は、他人にパスワードを盗用されるおそれがあり、また、パスワードを利用していない日が続くと設定したパスワードをユーザが忘れてしまうおそれがある。物理認証では、鍵・ＩＤカードを紛失するおそれがあり、また、他人に不正利用されてしまうおそれがあるという問題点があった。
このような問題点を解消する認証方法として、近年、指紋、指静脈、手のひら静脈といった各個人の固有情報に基づく生体認証が注目されている。生体認証は体の一部を情報とするため、複雑なパスワードのように忘れてしまうこともなく、また、鍵のように紛失してしまうこともない。さらには、他人がシステム利用者であるようになりすますことも非常に困難である。
【０００３】
生体認証の認証方法として、「１対１認証」と「１対Ｎ認証」がある。
１対１認証は、生体情報を生体センサ等によって取得し、予め登録されている生体情報との照合を行い、双方が一致するか否かを確認する方式である。１対１認証では、被認証者に付与されている個人ＩＤ（IDentification）を一次認証として入力し、個人ＩＤに紐付けられた生体情報の抽出を行い、当該生体情報と認証時に入力する生体情報が一致するか否かを確認する。一次認証にはＩＤカードの入力や、被認証者によるＩＤ番号の入力のような個人ＩＤを入力する手段が必要となるが、ＩＤカードの紛失やＩＤ番号を忘れてしまった場合、一次認証を行うことができなくなってしまう。
【０００４】
一方、１対Ｎ認証は、生体情報を生体センサ等によって取得し、予め登録されている複数の生体情報の中から、同一の生体情報があるか否かを検索し、被認証者を特定する方式である。１対Ｎ認証では、一次認証を行う必要がないため、被認証者にＩＤを付与する必要がなく操作を単純化することができる。しかし、登録されたすべての生体情報を対象に検索をする必要があり、認証に要する処理時間が長くなる。
【０００５】
１対Ｎ認証の処理時間短縮には、高速処理が行える処理装置を使用する、もしくは認証の処理方法を改良するという方法が挙げられる。処理時間短縮方法として、登録されている生体情報をグループ分けし、認証処理時に認証対象を絞り込み、処理時間を短縮するという技術が知られている（例えば、特許文献１参照）。
【先行技術文献】
【特許文献】
【０００６】
【特許文献１】特開２００２−２９７５４９号公報
【発明の概要】
【発明が解決しようとする課題】
【０００７】
特許文献１に開示された技術では、入力された生体情報と、予め認証装置内に保持している基準データとを比較し、類似度を算出した後、算出された類似度の範囲毎に分類符号を割り付け、入力された生体情報のグループ化を行っている。また、認証時の１対Ｎ認証処理において、入力された生体情報と基準データとの比較結果の類似度によって、１対Ｎ認証の対象となる予め登録されている生体情報のグループの認証優先順位を決め、当該優先順位に沿って１対Ｎ認証を行っている。
【０００８】
本発明は、上記優先順位の決定の仕組みにおいて、上記優先順位の生成を操作し、認証処理におけるセキュリティレベルを向上させる生体認証装置、生体認証方法および生体認証プログラムを提供することを課題とする。
【課題を解決するための手段】
【０００９】
前記課題を解決するために、本発明の生体認証装置は、生体情報を入力する生体情報入力部と、入力された前記生体情報を、認証のための情報である認証形式生体情報に変換する生体情報変換部と、予め登録された前記生体情報の認証のための情報である登録生体情報と、前記登録生体情報が属するグループを識別するための情報である生体情報区分コードと、前記グループを代表する前記生体情報の見本である見本生体情報とを記憶する記憶部と、前記認証形式生体情報と複数の前記見本生体情報とを比較してそれぞれ類似度を算出し、前記類似度に基づいて、前記認証形式生体情報が最も類似する前記見本生体情報の前記生体情報区分コードを生成する生体情報区分コード生成部と、前記類似度に基づいて、前記認証形式生体情報が前記見本生体情報に類似する順に、各見本生体情報の前記生体情報区分コードに優先順位を付し、予め設定された閾値に基づいて、前記優先順位が下位の前記生体情報区分コードのグループに属する前記登録生体情報を認証対象としないように、認証優先情報を生成する認証優先情報生成部と、前記認証優先情報の前記優先順位の順に、前記認証形式生体情報と、前記生体情報区分コードのグループに属する前記登録生体情報とを照合して認証処理を行う認証処理部と、を備えることを特徴とする。
【発明の効果】
【００１０】
本発明によれば、認証処理におけるセキュリティレベルを向上させることができる。
【図面の簡単な説明】
【００１１】
【図１】本発明の実施形態における生体認証装置のハードウェアの構成を示すブロック図である。
【図２】本発明の実施形態における生体認証装置の機能的構成を示すブロック図である。
【図３】本発明の実施形態における生体情報区分コード生成部の処理の概要を説明する図である。
【図４】本発明の実施形態における生体情報区分コード生成部の処理の詳細および認証優先情報生成部の処理を説明する図である。
【図５】本発明の実施形態における認証処理部と記憶部における処理を説明する図である。
【図６】本発明の実施形態における生体認証装置の生体認証処理動作を示すフローチャートである。
【発明を実施するための形態】
【００１２】
以下、本発明の実施形態について、図面を参照して説明する。
［生体認証装置１における生体認証処理の概略］
まず、本実施形態の生体認証装置１における生体認証処理の概略を説明する。
ユーザは、予め生体情報を生体認証装置１に登録する。生体認証装置１は、その生体情報を特徴によりグループ分けして登録する。認証時には、生体認証装置１は、まず、認証時にユーザにより入力された生体情報のグループを判定し、そのグループに属する予め登録された生体情報と、認証時にユーザにより入力された生体情報とを照合して認証する。また、生体認証装置１は、予め登録された生体情報のすべてを認証対象とするのではなく、グループに優先順位を設定し、優先順位が下位のグループについては、認証対象としないようにする。
【００１３】
すなわち、１０００個の生体情報が登録されている場合、１から１０００まで順に認証結果を返すと時間がかかってしまうため、生体認証装置１は、１０００個のデータをグループ化して登録する。例えば、生体認証装置１は、１０００個のデータを、３００個（Ａグループ）、３００個（Ｂグループ）、４００個（Ｃグループ）に分けて登録する。このとき、グループを代表する見本と最も類似すると判定したグループに分けて登録することとする。
認証時には、生体認証装置１は、ユーザにより入力された生体情報と、それぞれのグループの見本との類似度に基づいて、グループに優先順位を設定する。ユーザにより入力された生体情報がＡグループの見本と最も類似すると判定された場合は、生体認証装置１は、まず、Ａグループの３００個のデータを認証対象とする。また、生体認証装置１は、ユーザにより入力された生体情報が見本と比較的類似していないグループ（例えば、Ｃグループ）を認証対象としないようにする。
【００１４】
［生体認証装置１の構成］
図１は、本発明の実施形態における生体認証装置１のハードウェアの構成を示すブロック図である。
生体認証装置１は、生体情報を入力する生体情報入力センサ２と、プロセッサ３と、メモリ４と、不揮発性メモリ５と、制御チップ６とを備える。
プロセッサ３は、メモリ４に展開されたプログラムに従って、生体情報入力センサ２から入力された生体情報と、不揮発性メモリ５に記憶された生体情報とを比較し、認証の成否を判定する。なお、プロセッサ３、メモリ４および制御チップ６については、マイクロコンピュータ（マイコン）という形で統合されている場合が一般的である。
また、本実施形態では、ホスト装置１００が、生体認証装置１に接続されている。ホスト装置１００は、例えば、パーソナルコンピュータである。
【００１５】
図２は、本発明の実施形態における生体認証装置１の機能的構成を示すブロック図である。
生体認証装置１は、生体情報入力部１１と、生体情報変換部１２と、記憶部１３と、生体情報分析部１４と、認証処理部１７と、通信部１８と、登録処理部１９とを備える。
【００１６】
生体情報入力部１１は、個人認証用に使われる人間の生体情報５０の入力を行うものである。生体情報５０は、例えば、指紋、静脈、虹彩などの情報である。入力された生体情報５０は、生体情報変換部１２へ出力される。
生体情報変換部１２は、生体情報５０を、認証のための情報である認証形式生体情報５１に変換するものである。認証形式生体情報５１は、認証方式によって種々の形態があるが、例えば、指紋の特徴点の種類や位置などの情報である。
【００１７】
記憶部１３は、生体情報区分コード３１と、登録生体情報３２と、見本生体情報３３とを記憶するものである。
生体情報区分コード３１は、生体情報５０をグループ分けする際、グループを識別するための情報である。
登録生体情報３２は、ユーザによって予め登録された生体情報の認証のための情報である。この登録生体情報３２は、１対Ｎ認証の際に認証対象となる。
見本生体情報３３は、グループを代表する生体情報５０の見本であり、生体情報５０をグループ分けする際の判定に使用される。
記憶部１３は、生体情報区分コード３１と登録生体情報３２とを対応付けたデータベースを持っている。
【００１８】
生体情報分析部１４は、生体情報区分コード生成部１５および認証優先情報生成部１６を備える。
生体情報区分コード生成部１５は、認証形式生体情報５１と複数の見本生体情報３３とを比較してそれぞれ類似度を算出し、その類似度に基づいて、認証形式生体情報５１が最も類似する見本生体情報３３の生体情報区分コード３１を生成するものである。類似度とは、どの程度似ているかを示す指標である。類似度の求め方は、従来技術により種々の方法がある。例えば、指紋の特徴点の種類と位置の一致を判定する方法や、撮影した画像を二値化し、画素単位で比較してパターンの一致度を算出する方法などがある。
【００１９】
例えば図３に示すように、指紋認証を例に説明すると、生体情報区分コード生成部１５は、入力された認証形式生体情報５１と、複数の見本生体情報３３とを比較する。ここで、見本生体情報３３ａ，３３ｂ，３３ｃは、指紋の代表的な種類である。見本生体情報３３ａは、渦や円の形をした「渦状紋」（かじょうもん）、見本生体情報３３ｂは、馬のひづめのような形の「蹄状紋」（ていじょうもん）、見本生体情報３３ｃは、山のような線を描く「弓状紋」（きゅうじょうもん）と呼ばれる指紋の種類である。見本生体情報３３ａ，３３ｂ，３３ｃの生体情報区分コード３１は、それぞれ、「Ａ」、「Ｂ」、「Ｃ」である。そして、生体情報区分コード生成部１５は、認証形式生体情報５１と、各見本生体情報３３との類似度をそれぞれ算出し、最も似ているとされた見本生体情報３３ａの生体情報区分コード「Ａ」を生成する。入力された認証形式生体情報５１には、生体情報区分コード「Ａ」が割り振られる。この認証形式生体情報５１および生体情報区分コード「Ａ」は、認証処理部１７および登録処理部１９へ出力される。
【００２０】
認証優先情報生成部１６は、生体情報区分コード生成部１５が算出した類似度に基づいて、認証形式生体情報５１が見本生体情報３３に類似する順に、それぞれの見本生体情報３３の生体情報区分コード３１に優先順位を付し、予め設定された閾値に基づいて、優先順位が下位の生体情報区分コード３１のグループに属する登録生体情報３２を認証対象としないように、認証優先情報３４を生成するものである。なお、優先順位とは、後記する認証処理部１７が認証対象を抽出する優先順位である。
認証優先情報３４は、生体情報区分コード３１に優先順位を付した情報である。また、この認証優先情報３４は、ユーザが予め設定した閾値に基づいて、優先順位が下位の生体情報区分コード３１を、除外するか、あるいは、優先順位が下位の生体情報区分コード３１に、認証対象としない旨の情報を付す等して生成される。これにより、後記する認証処理部１７は、優先順位が下位の生体情報区分コード３１のグループに属する登録生体情報３２を認証対象から除外する。
【００２１】
図４を用いて説明する。
図４において、生体情報区分コード生成部１５は、認証形式生体情報５１と、各見本生体情報３３ａ，３３ｂ，３３ｃとの類似度をそれぞれ算出している。ミスマッチ率とは、類似度の一形態であり、その算出方法は省略するが、値が小さいほど、似ていることを示す。
認証優先情報生成部１６は、各見本生体情報３３ａ，３３ｂ，３３ｃとの類似度を取得し、これらの大小関係を判定し、優先順位を付して認証優先情報３４を生成する。ここでは、ミスマッチ率が「１５００」＜「２３００」＜「２７００」となっているため、見本生体情報３３ａ，見本生体情報３３ｂ，見本生体情報３３ｃの順に、似ていることを示している。よって、認証優先情報生成部１６は、生体情報区分コード「Ａ」、「Ｂ」、「Ｃ」の順に、優先順位を付す。
【００２２】
また、認証優先情報生成部１６は、ユーザが予め設定した閾値「２５００」以上のミスマッチ率の見本生体情報３３ｃの生体情報区分コード「Ｃ」を特定し、この生体情報区分コード「Ｃ」のグループに属する登録生体情報３２を認証対象としないように、認証優先情報３４から除外する。なお、認証者または管理者であるユーザは、この閾値を任意に設定することができる。
認証優先情報３４は、認証処理部１７へ出力される。
【００２３】
認証処理部１７は、認証優先情報３４の優先順位の順に、認証形式生体情報５１と、生体情報区分コード３１のグループに属する登録生体情報３２とを照合して認証処理を行うものである。認証結果は、通信部１８へ出力される。
【００２４】
図５を参照して、認証処理部１７と記憶部１３における処理を説明する。
まず、認証処理部１７は、生体情報分析部１４から認証形式生体情報５１、生体情報区分コード３１および認証優先情報３４を取得する。次に、認証処理部１７は、認証対象となる登録生体情報３２を抽出するため、認証優先情報３４を参照して、優先順位が上位の生体情報区分コード３１（先の例によれば、「Ａ」）を検索キーとして、生体情報区分コード３１と登録生体情報３２を対応付けたデータベースを検索し、生体情報区分コード３１が一致する登録生体情報３２を認証対象として抽出する。そして、認証処理部１７は、抽出した登録生体情報３２と認証形式生体情報５１とを照合して、認証処理を行う。
【００２５】
認証処理とは、登録生体情報３２と、認証形式生体情報５１とを照合して、所定の適合率を満たした場合、生体情報５０を入力したユーザを、登録したユーザであると認定する処理である。所定の適合率は、例えば、ミスマッチ率５００以下等とする。
所定の適合率を満たした場合、認証が成功したという。
認証処理部１７は、抽出した登録生体情報３２と認証形式生体情報５１とを照合して、所定の適合率を満たすものがない場合は、認証優先情報３４を参照して、次に優先順位が上位の生体情報区分コード３１（先の例によれば、「Ｂ」）のグループに属する登録生体情報３２を抽出し、抽出した登録生体情報３２と認証形式生体情報５１とを照合して、同様の認証処理を行う。
【００２６】
また、認証処理部１７は、認証優先情報３４を参照して、次に優先順位が上位の生体情報区分コード３１が無い場合、あるいは、次に優先順位が上位の生体情報区分コード３１に認証対象としない旨の情報が付されている場合は、認証処理を終了する。
認証の成否および認定された登録者情報は、通信部１８へ出力され、ホスト装置１００に通知される。
【００２７】
通信部１８は、ホスト装置１００と情報を送受信するものである。通信部１８は、ホスト装置と任意の通信手段（有線・無線を問わない）により接続される。
登録処理部１９は、生体情報分析部１４からの生体情報区分コード３１および認証形式生体情報５１、または、ホスト装置１００からの生体情報区分コード３１および登録生体情報３２を記憶部１３に記憶させるものである。ユーザは、生体認証装置１で生体情報の登録を行うことができる。
【００２８】
なお、生体認証装置１は、コンピュータを、前記した各機能部として機能させる生体認証プログラムによって動作する。
【００２９】
［生体認証装置１の動作］
次に、生体認証装置１の動作の一例について図６（構成は適宜図２）を参照して説明する。
なお、この生体認証処理の開始前に、ユーザは、予めステップＳ１５で用いる閾値を設定しておく。また、入力される生体情報は、予め生体情報区分コード３１が割り当てられて、登録生体情報３２として登録されているものとする。
【００３０】
図６のフローチャートに示すように、ステップＳ１１において、生体情報入力部１１は、入力された生体情報５０を取得する。
ステップＳ１２において、生体情報変換部１２は、生体情報５０を認証形式生体情報５１に変換する。
ステップＳ１３において、生体情報区分コード生成部１５は、認証形式生体情報５１と複数の見本生体情報３３とを比較して、それぞれ類似度を算出する。
【００３１】
ステップＳ１４において、生体情報区分コード生成部１５は、算出した類似度に基づいて、認証形式生体情報５１が最も類似する見本生体情報３３の生体情報区分コード３１を生成する。
ステップＳ１５において、認証優先情報生成部１６は、類似度に基づいて、認証形式生体情報５１が見本生体情報３３に類似する順に、見本生体情報３３の生体情報区分コード３１の優先順位を定め、ユーザにより予め設定された閾値に基づいて、優先順位が下位の生体情報区分コード３１のグループに属する登録生体情報３２を認証対象としないように、認証優先情報３４を生成する。
【００３２】
ステップＳ１６において、認証処理部１７は、認証優先情報３４を参照して、優先順位が上位の生体情報区分コード３１から登録生体情報３２を抽出する。
ステップＳ１７において、認証処理部１７は、認証形式生体情報５１と、抽出した登録生体情報３２とを照合して、認証処理を行う。
ステップＳ１８において、認証処理部１７は、認証が成功したか否かを判定する。
【００３３】
認証が成功した場合は（ステップＳ１８・Ｙｅｓ）、生体認証処理は、終了する。
一方、認証が成功していない場合は（ステップＳ１８・Ｎｏ）、ステップＳ１９において、認証処理部１７は、同一の生体情報区分コード３１のグループに属するすべての登録生体情報３２と照合したか否かを判定する。
同一の生体情報区分コード３１のグループに属するすべての登録生体情報３２と照合していない場合は（ステップＳ１９・Ｎｏ）、ステップＳ１７に戻り、認証処理部１７は、認証処理を続ける。
一方、同一の生体情報区分コード３１のグループに属するすべての登録生体情報３２と照合した場合は（ステップＳ１９・Ｙｅｓ）、ステップＳ２０において、認証処理部１７は、認証優先情報３４にさらに優先順位が下位の生体情報区分コード３１が有るか否かを判定する。
【００３４】
認証優先情報３４にさらに優先順位が下位の生体情報区分コード３１が有ると判定した場合は（ステップＳ２０・Ｙｅｓ）、ステップＳ１６に戻り、認証処理部１７は、認証優先情報３４を参照して、優先順位が上位の生体情報区分コード３１から登録生体情報３２を抽出する。
一方、認証優先情報３４にさらに優先順位が下位の生体情報区分コード３１は無いと判定した場合は（ステップＳ２０・Ｎｏ）、生体認証処理は、終了する。この場合は、その後、生体認証装置１は、ユーザに対し生体情報を再度入力するよう促す表示をする。
【００３５】
以上の動作によって、生体認証装置１は、グループ分けされた登録生体情報３２に対しての１対Ｎ認証の際、認証対象となるグループの優先順位の決定において、ユーザが予め設定した閾値に基づいて、見本生体情報３３との類似度が著しく低いグループに対しては認証対象から外して１対Ｎ認証を行う。
これにより、ユーザは、認証優先情報３４の生成を設定値によって任意に操作することができ、また、１対Ｎ認証におけるセキュリティレベルを向上させることができる。
【００３６】
また、認証対象から除外した優先順位が下位のグループの中に、入力された生体情報と一致するものがあったとしても、ユーザに対し生体情報を再度入力するよう促すことにより、精度の高い生体情報を得ることができ、本人拒否の低減を実現するとともに、他人受け入れの低減を実現することができる。
【００３７】
＜変形例＞
以上、本発明の一実施形態について説明したが、本発明はこれに限定されず、本発明の趣旨を逸脱しない範囲で、例えば次のように変更することができる。
【００３８】
実施形態の説明において、生体情報として指紋を用いて説明したが、これに限定されることはなく、虹彩、網膜、顔画像、音声、指や手のひらの血管パターン等を生体情報として用いてもよい。
【００３９】
また、見本生体情報３３は、予め作成されているものでもよいし、登録生体情報３２を、見本生体情報３３として用いることもできる。例えば、登録生体情報３２の一つを選択し、これを見本生体情報とし、新たなグループＤの代表とする。また、生体情報区分コードは、新たに「Ｄ」を作成すればよい。
【００４０】
また、生体認証装置１は、ホスト装置１００を接続せず、生体認証装置１単独で使用する環境において、認証の成否の表示や、生体情報５０の登録を行うこともできる。
【符号の説明】
【００４１】
１      生体認証装置
２      生体情報入力センサ
３      プロセッサ
４      メモリ
５      不揮発性メモリ
６      制御チップ
１１    生体情報入力部
１２    生体情報変換部
１３    記憶部
１４    生体情報分析部
１５    生体情報区分コード生成部
１６    認証優先情報生成部
１７    認証処理部
１８    通信部
１９    登録処理部
３１    生体情報区分コード
３２    登録生体情報
３３    見本生体情報
３３ａ  見本生体情報
３３ｂ  見本生体情報
３３ｃ  見本生体情報
３４    認証優先情報
５０    生体情報
５１    認証形式生体情報
１００  ホスト装置
【図１】
2012238256.tif 000003
【図２】
2012238256.tif 000004
【図３】
2012238256.tif 000005
【図４】
2012238256.tif 000006
【図５】
2012238256.tif 000007
【図６】
2012238256.tif 000008